(57)【要約】【課題】  ファッション性が高く、また、多様性に富んだファッション時計の提供。【解決手段】  ベルト３と時計本体２及び取り付けリング４を備える。ベルト３は時計本体２の見付け面大きさに比べて幅広とする。時計本体２の胴体部分９をベルト３のはめ込み孔６から差し込んでベゼル８をベルトの表面側に係合させ、ベルト３の裏面側から取り付けリング４時計本体２の胴体部分へ着脱可能に取り付ける。これにより時計本体２をベルト３に取り付けてある。手首に捲きつけるなどリストバンドと同様な態様で利用する。【選択図】  図１
2005106543.tif 000002
【特許請求の範囲】
【請求項１】
ベルトと時計本体及び取り付けリングを備え、ベルトは時計本体の見付け面大きさに比べて幅広であると共に、時計本体を着脱可能にはめ込むはめ込み孔を有しており、時計本体はベゼルと筒状をした胴体部分を有し、胴体部分をベルトのはめ込み孔へベルトの表面側から差し込んでベゼルをベルトの表面側に係合させ、ベルトの裏面側から取り付けリングをベルト裏面に係合させると共に時計本体の胴体部分へ着脱可能に取り付けて、これにより時計本体をベルトに取り付けてあることを特徴としたファッションウォッチ。
【請求項２】
ベルトのはめ込み孔は、ベルトに形成した抜き孔に抜き孔の周縁を呑み込ませて固定した縁取りリングを設けてあることを特徴とした請求項１に記載のファッションウォッチ。
【請求項３】
時計本体の胴体部分は外周面に雄ねじを有し、取り付けリングは内周面に雌ねじを有したリングねじであり、胴体部分にリングを螺合することにより、時計本体をベルトへ固定することを特徴とした請求項１又は２に記載のファッションウォッチ。
【請求項４】
柄、模様、色彩あるいは形態が異なることによりイメージの異なると共にそれぞれにはめ込み孔を有した複数のベルトと、時計本体及び取り付けリングとのセットであって、ベルトのはめ込み孔に時計本体をはめ込み、取り付けリングで取り付けることにより、請求項１〜請求項３の何れかに記載したファッションウォッチとすることができるファッションウォッチセット。
【発明の詳細な説明】
【技術分野】
【０００１】
この発明は、腕時計など、時計本体とバンド（ベルト）との組み合わせにファッション性を与えたウォッチに関する。
【背景技術】
【０００２】
腕時計やペンダント時計など、身に付ける時計、すなわちウォッチはいまや装身具としての価値が高くなっている。腕時計についてみると、時計本体のデザインはもちろん、バンド部分にも装飾的工夫が施こされている。豪華な宝飾を施したものや若者向けにポップな感じのカラーや柄を施したものがある。
しかし、いずれにしても、時計本体とバンドは基本的に１：１の関係にあって、通常、頻繁に取り替えることは予定していない。このため、おしゃれに対応して敏感に反応する必要があるファッション性、多様性に欠ける面がある。
また、バンドのデザインにしても時計本体を主体としていて、ほとんどが時計本体の見付け面大きさ（時計本体を平らに置いて上方から見た形態の大きさ）よりも幅がせまくなっている。
【０００３】
特許文献１は、時計本体や腕時計バンドを容易に交換可能な腕時計を開示しているが、交換可能な腕時計バンドは、旧来のいわゆる時計バンドの領域を出ておらず、交換することによってファッション性が多少向上するとしてもその程度はきわめて低い。
特許文献２は、異なる外枠に時計本体を組み合わせる腕時計の組成ユニットであるが、時計本体が交換可能であるというだけで、従来の腕時計の域を出ていない。バンドによってファッション性を向上させようとする技術的思想もまったく無い。
【０００４】
【特許文献１】実用新案登録第３０６５４２３号公報
【特許文献２】実用新案登録第３０１０７７３号公報
【発明の開示】
【発明が解決しようとする課題】
【０００５】
この発明は、腕時計の構造を発展させ、ファッション性が高く、また、多様性のあるウォッチとすることを課題とする。
【課題を解決するための手段】
【０００６】
腕時計との概念から脱し、リストバンドあるいはアームバンドに時計を取り付けてある構造とする。リストバンドはスポーツ選手が腕からの汗が手先に及ぶのを抑えたり、手首を保護するために使用するタオル地やパイル地のものであるが、最近ではファッションの分野に進出し、装身具の一つとなっている。アームバンドも本来は同様な目的のものであるが、専ら装身具として用いられている。
これらのバンドは、捲き付けて両側を結合するものや手先を通すリング状のものがあるが、時計バンドなど比べるといずれも幅が広い。逆を言えば、幅の広いところにファッション性が見出されている。
幅の広さに関して従来の時計バンドと区別するためにこれらをベルトと称することにする。
【０００７】
具体的には、ベルトと時計本体及び取り付けリングを備えた構造とする。
ベルトは時計本体の見付け面大きさに比べて幅広であると共に、時計本体を着脱可能にはめ込むはめ込み孔を有したものとする。時計本体はベゼルと筒状をした胴体部分を有し、胴体部分をベルトのはめ込み孔へベルトの表面側から差し込んでベゼルをベルトの表面側に係合させる。ついで、ベルトの裏面側から取り付けリングをベルト裏面に係合させるとともに、時計本体の胴体部分へ着脱可能に取り付け、これにより時計本体をベルトに取り付ける。
【０００８】
つまり、取り付けリングを着脱するだけで、ベルトに対して時計本体を取り付け、取り外すことができる。また、幅の広いベルトには種々の柄や模様あるいは色を施し、ファッション性が高く、多様性のあるものとできる。このためにはベルトは従来の時計バンドのような素材よりも、柄や模様のユニークな布や樹脂シートが適している。吸水性の高いタオル地なども利用できる。タオル地などは時計本体を外して、洗濯することもできる。このことは、一方で不潔になりやすいベルトの臭気や細菌の発生を防止して利用者に清潔で快適な生活環境を与える。
【０００９】
ベルトがタオルやパイル地などの場合、生地が柔らかいので、時計本体をはめ込む抜き孔の形態が不明瞭となり、時計本体を取付けにくい。また、時計本体の取り付け状態が不安定になる。このため、ベルトに形成した抜き孔の周縁にリング部材を、抜き孔の周縁を呑み込むように固定し、抜き孔の周縁を縁取りリングで縁取ることがある。
また、時計本体と取り付けリングの固定は、時計本体が有する胴体部分の外周面に雄ねじを設け、取り付けリングの内周面に雌ねじを設けてリングねじとし、胴体部分に取り付けリングを螺合することにより行うことがある。この構造は、ベルトに対する時計本体の取り付け取り外しが簡単であり、取り付け状態も確実である。取り付けリングの外周面には着脱時の滑りを防止するためにローゼットを刻むことがある。
【００１０】
ベゼルのデザインと共に、ベルトに、柄、模様、色彩を付するとファッション性と多様性がより向上する。また、その時々のおしゃれに即応できるようベルトは柄、模様、色彩あるいは形態が異なることによりイメージの異なるものを複数個準備しておくのが好ましい。これを満足するために、商品として、前記種々のベルト（それぞれにはめ込み孔を有している）と、時計本体及び取り付けリングをセットとすることがある。
もちろん、気に入ったイメージのベルトだけを収集できるように、時計本体と共にベルトをバラ売りすることもよい。ベゼルも気にいったものと組み合わせることができるように、胴体部分と分離して構成しておくこともできる。
【発明の効果】
【００１１】
リストバンドやアームバンドのような従来からの装身効果をさらに向上させてファッション性と多様性が高いと共に、時計機能が発揮される。
【発明を実施するための最良の形態】
【００１２】
目を惹く色と柄の丈夫な布から短冊状布を切り出し、切断した周囲がほつれないように処理してベルトとする。ベルトの両端には、結合のための手段（ボタン、ベルクロテープなど）を設け、中央部に時計本体をはめ込むはめ込み孔を形成する。
はめ込み孔に縁取りリングを、はめ込み孔の縁を呑み込ませて取り付ける。
時計本体は、ベゼルと胴体部分を備えて胴体部分の外周に雄ねじを有し、これに取り付けリングが螺合する構造とする。
ベルトのはめ込み孔に時計本体を表面側からはめ込み、裏面側から取り付けリングを時計本体の胴体部分に螺合させて、ベルトに時計本体を取り付ける。
ベルトは柄、模様、色彩、形態が異なるものを複数準備しておく。
【実施例１】
【００１３】
図１において、符号１はファッションウォッチであって、時計本体２、ベルト３及び取り付けリング４を備えている。時計本体２は裏蓋５を分解して示している。ベルト３の中央部には、はめ込み孔６が形成され、縁取り用のリング７で縁取られている。
【００１４】
このファッションウォッチ１は、図２のように、腕、ないし手首に捲き付けて使用する。ベルト３は手首に捲きつけた後、両端部に取り付けたベルクロファスナーによって両端を結合する。その利用態様は、汗取り用のリストバンドと同様である。
【００１５】
時計本体２（図３，４）は、ベゼル８と胴体部分９とが一体に形成されている。
なお、時計本体２はこの他にカラープラスチックリング１０、風防ガラス１１、文字板１２を備え、裏蓋５とで閉鎖される空間にムーブメント１３を納め、ムーブメント１３を調整するためのりゅうず軸１４が側方に延びて胴体部分９の壁を貫通してその先端にりゅうず１５を取り付けてある。裏蓋５は上面の雄ねじ部分１６を胴体部分９の内周面に設けた雌ねじ１７へ螺合して固定してある。
【００１６】
胴体部分９の外周面には雄ねじ１８を刻設してある。また、胴体部分９はりゅうず軸１４が貫通する個所を平面で切除し平面部分１９としてあり（図４〜６）、りゅうず１５が胴体部分９の外周円の内側となる様に（図３）構成してある。さらに、平面部分１９の下辺は上方へ湾曲するように切り欠かれ、りゅうず１５の下半が円弧状の切欠部分２０へ張り出すようになっている（図６）。
【００１７】
縁取りリング７は、アルミ合金のリングで外周側に開口した断面Ｃ字状となっている。ベルト３の中央部を打ち抜いて形成した抜き孔の縁を前記の開口側から差込み、リングをかしめることによってベルト３へ固定する。縁取りリング７の内径は時計本体２の胴体部分９の外形にほぼ等しいか僅かに大きくしてある。
取り付けリング４は、時計本体２と同様なステンレスなど硬質の金属製であり、内周面に雌ねじ２１を形成してある。すなわち、取り付けリング４はリングねじであって、時計本体２の胴体部分９の外周に形成した雄ねじ１８と螺合する。
取り付けリング４の外周には脱着時の滑りを防止するためにローゼットを刻んである。
【００１８】
ベルト３は、この実施例では絹地に派手な色柄をプリントしたものであり、若向きである。その幅ｗは、時計本体２の外径の約２倍あり、時計本体２の見付け面の大きさに比べかなり広幅であり、その程度は、従来の時計バンドのイメージとは、大きく異なる。ベルト３の中央には抜き孔を縁取りリング７で縁取りしたはめ込み孔６が形成されている。
【００１９】
ベルト３と時計本体２は、ベルト３の表面側からはめ込み孔６へ時計本体２の胴体部分９をはめ込み、ベルト３の裏面側から時計本体２の胴体部分９へ取り付けリング４を螺合する。すると、時計本体２はベゼル８がベルト３の表面に係合し、取り付けリング４がベルト３の裏面に係合して、ベゼル８と取り付けリング４とで縁取りリング７を挟み付ける構造で、時計本体２がベルト３に取り付けられる。
取り付けリング４は、時計本体２の胴体部分９へねじ込まれてベルト３を挟み付けるから、ベルト３の素材が薄くても厚くても対応することができる。
【実施例２】
【００２０】
図７は、ベルト３の素材を皮革とし、柄と両端の結合方法をホック形式としたものである。このように、ベルト３の素材とデザインは自由である。場合によっては、ベルト３を白地として利用者が自由に柄、色をデザインできるようにしてもよい。ベルト３の形態も、手首に巻いた両端を蝶結びできるようなものとしても良い。
【実施例３】
【００２１】
図８は、ベルト３がパイル生地あるいはタオル生地の場合であって、このような場合に縁取りリングが有効であることを示している。なお、縁取りリング７は必須のものではなく、素材が合成繊維である場合には、縁取りリング７に代えて、抜き孔の周囲を熱プレスしてリング状の縁を形成してもよい。
【図面の簡単な説明】
【００２２】
【図１】一部を分解して示す斜視図
【図２】使用状態を示す斜視図
【図３】断面で示す一部の正面図（ガラス以外のハッチングを省略）
【図４】組み付けの配置を示す斜視図
【図５】ベゼル部分の一部を示した平面図
【図６】ベゼルと胴体部分の側面図（一部）
【図７】ベルトの斜視図（実施例２）
【図８】ベルトの一部を示す斜視図（実施例３）
【符号の説明】
【００２３】
１  ファッションウォッチ
２  時計本体
３  ベルト
４  取り付けリング
５  裏蓋
６  はめ込み孔
７  縁取りリング
８  ベゼル
９  胴体部分
１０  カラープラスチックリング
１１  風防ガラス
１２  文字板
１３  ムーブメント
１４  りゅうず軸
１５  りゅうず
１６  雄ねじ部分
１７  雌ねじ
１８  雄ねじ
１９  平面部分
２０  切欠部分
２１  雌ねじ
【図１】
2005106543.tif 000003
【図２】
2005106543.tif 000004
【図３】
2005106543.tif 000005
【図４】
2005106543.tif 000006
【図５】
2005106543.tif 000007
【図６】
2005106543.tif 000008
【図７】
2005106543.tif 000009
【図８】
2005106543.tif 000010